(57)【要約】      （修正有）【課題】数値解析による工数がかからない効率的な特許文献項目の抽出する方法を提供する。【解決手段】分析対象とする特許文献集合の特許文献項目別文献件数時系列表を作成するステップＳ１と、ダミー分析用特許文献集合時系列データ表を作成するステップＳ２と、ダミー区間別・特許文献項目別件数・勾配一覧表を作成するステップＳ３と、ダミー区間別・特許文献項目別件数・勾配・相関係数一覧表を作成するステップＳ４と、ダミー区間別・特許マップ用諸元表を作成するステップＳ５と、ダミー区間別・特許マップ用諸元表に記載のダミー区間別の相関係数、勾配、合計文献件をキーワードとして使用、該諸元表に記載の特許文献項目の中から所望する特許文献項目を抽出Ｓ６する。【選択図】図２
2018133068.tif 000002
【特許請求の範囲】
【請求項１】
特許文献分析ソフトおよび表計算ソフトがインストールされているコンピュータで実行する特定の特許文献集合の分析方法において
分析対象期間を等期間で分割、該分割した区分の期間に属する、分析対象とする特許文献集合の特許項目別文献件数を表示した一覧表に、文献件数時系列推移パターン判定用ダミーとして連続した３個以上の区間よりなるダミー区間で、時系列データがゼロ以外の勾配を有する一直線となる値を有するダミーを設定、
該ダミー毎のダミー区間の時系列データと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、該抽出した特許文献項目の中から、キーワードとして前記ダミー区間別の特許文献項目毎の合計文献件数、前記ダミー区間別の特許文献項目毎の文献件数の区間勾配、前記各ダミー区間における特定の区分の特許文献項目別文献件数の中から所望するキーワードを順次選択して、所望する特許文献項目を抽出することを特徴とする特許文献集合の分析方法。
【請求項２】
ｉを時系列推移に伴って連続して増加する自然数として、分析対象とする特許文献集合の特許分類や出願人やキーワードが表示されている特許文献項目列と分析対象期間を等分割した区分のＸ軸での座標名をＸｉとする行と該座標名の座標値をｉとする行が記載されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用のダミーとして連続した３個以上のＸｉより成るダミー区間のＹ軸の値、Ｙｉがゼロ以外の勾配を有する一直線となる値を有するＳダミーを設定、
該設定したＳダミー毎のダミー区間の時系列データ、Ｙｉと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、該抽出した特許文献項目の中から、キーワードとして前記Ｓダミー区間別の特許文献項目毎の合計文献件数、前記Ｓダミー区間別の特許文献項目毎の文献件数の区間勾配、前記各Ｓダミー区間における特定の区分の特許文献項目別文献件数の中から所望するキーワードを順次選択して、所望する特許文献項目を抽出することを特徴とする特許文献集合の分析方法。
【請求項３】
ｉを時系列推移に伴って連続して増加する自然数として、分析対象とする特許文献集合の特許分類や出願人やキーワードが記載されている特許文献項目列と分析対象期間を等分割した区分のＸ軸での座標名をＸｉとする行と該座標名の座標値をｉとする行が表示されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用ダミーとして連続した３個以上のＸｉより成るダミー区間のＹ軸の値、Ｙｉがゼロ以外の勾配を有する一直線となる値を有するＰ第１ダミーと該Ｐ第１ダミーの２個の端点のうちｉの値が大きい方の端点のＸｉのｉと等しいかより大きいｉを有するＸｉを始点とし、ｉが増加する方向の３個以上の連続したＸｉより成るダミー区間のＹ軸の値、Ｙｉがゼロ以外の勾配を有する一直線となる値を有し、前記Ｐ第１ダミーとの組合せで使用するＰ第２ダミーを設定、
該設定したＰ第１ダミー毎及びＰ第２ダミー毎のダミー区間の時系列データ、Ｙｉと前記分析対象とする特許文献集合の特許文献項目別文献件数の時系列データの相関係数を抽出のキーワードとして前記分析対象とする文献集合の中から所望する文献件数時系列推移パターンを有する特許文献項目を抽出、該抽出した特許文献項目の中から、キーワードとして前記Ｐ第１ダミー区間別、前記Ｐ第２ダミー区間別の特許文献項目毎の合計文献件数、前記Ｐ第１ダミー区間別、前記Ｐ第２ダミー区間別の特許文献項目毎の文献件数の区間勾配、前記各Ｐ第１ダミー区間、前記各Ｐ第２ダミー区間における特定の区分の特許文献項目別文献件数の中から所望するキーワードを順次選択して、所望する特許文献項目を抽出することを特徴とする特許文献集合の分析方法。
【発明の詳細な説明】
【技術分野】
【０００１】本発明は特定の特許文献集合の中から特許マップによる方法でなく数値解析により特許文献項目別時系列データが単調増加型とかＶ字型とか等の特定のパターンを有する特許文献を抽出、該抽出した文献集合の中から、特定の時点の文献件数、特定の期間の文献件数、特定の期間の件数推移勾配をキーワードとして、所望する特許文献項目を抽出する方法に関するものである。
【背景技術】
【０００２】特定の特許文献集合の特許分類別あるいは出願人別の特許文献の時系列動向を調査する場合、詳細検討用特許文献の抽出方法はほとんどの場合、特許文献項目別件数推移時系列マップを作成、該作成した特許マップを観察して特定の文献件数時系列推移パターンや特定の文献件数推移勾配や特定の期間の文献件数を示す特許文献項目を抽出しているのが実情であるが、抽出対象とする文献件数が多い場合は特許マップを作成するのには多大な工数を要し、また、萌芽期や新規参入出願人等の文献件数が少ない特許文献項目のデータは無視されてしまう傾向がある。【０００３】特定の特許文献集合の中から特許文献項目の件数が単調増加傾向や単調減少傾向を示す特許文献項目を抽出する方法として、特許マップの観察に頼らない方法が記載されている特許文献として、特許文献１、特許文献２がある。【０００４】特許文献１には時系列特許マップの特許文献項目別文献件数の時系列推移と単調増加するダミーとの相関係数を求め、該求めた相関係数により正負の相関有り、正負の相関無しに分類する方法が記載されているが、特許文献件数の時系列推移の勾配については特許マップを描いて評価する方式なので、該描く必要がある特許マップの数が多い場合は多大な工数を要することになる。【０００５】特許文献２には特定の特許文献項目同士の件数時系列推移の相関係数により相似の時系列推移をしているか否かの判定方法であり、前記特定の特許文献同士の一方の文献件数の時系列推移をＶ字型とか折線型とかのようにすれば、２直線の組合せで出来る文献件数時系列推移パターンを有する特許文献項目は抽出することはできるが、該特許文献項目の件数時系列推移の勾配や件数については特許マップを描いて判断する必要があるので、該描く必要がある特許マップの数が多い場合は多大な工数を要することになる。
【先行技術文献】
【特許文献】
【０００６】
【特許文献１】特許５５２７５６６
【特許文献２】特許５７６５６９１
【発明の概要】
【発明が解決しようとする課題】
【０００７】特定の特許文献集合のから特定の時点の文献件数と、特定の期間の文献件数の時系列推移の勾配と、特定の期間の文献件数の時系列推移パターンと、特定の期間の合計文献件数を評価尺度として所望する特許文献項目を抽出する方法において、多大な工数が必要となる特許文献項目別件数時系列マップに依る方法に代わって、数値解析による工数がかからない効率的な特許文献項目の抽出方法を提供することである。
【課題を解決するための手段】
【０００８】上記課題を解決するために、本件発明は、以下の特徴を有する課題を解決するための手段を採用している。
本願請求項１に係わる特許文献集合の分析方法は、
特許文献分析ソフトおよび表計算ソフトがインストールされているコンピュータで実行する特定の特許文献集合の分析方法において
分析対象期間を等期間で分割、該分割した区分の期間に属する、分析対象とする特許文献集合の特許項目別文献件数を表示した一覧表に、文献件数時系列推移パターン判定用ダミーとして連続した３個以上の区間よりなるダミー区間で、時系列データがゼロ以外の勾配を有する一直線となる値を有するダミーを設定、
該ダミー毎のダミー区間の時系列データと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、該抽出した特許文献項目の中から、キーワードとして前記ダミー区間別の特許文献項目毎の合計文献件数、前記ダミー区間別の特許文献項目毎の文献件数の区間勾配、前記各ダミー区間における特定の区分の特許文献項目別文献件数の中から所望するキーワードを順次選択して、所望する特許文献項目を抽出することを特徴とする特許文献集合の分析方法。【０００９】本請求項２に係わる特許文献集合の分析方法は
ｉを時系列推移に伴って連続して増加する自然数として、分析対象とする特許文献集合の特許分類や出願人やキーワードが表示されている特許文献項目列と分析対象期間を等分割した区分のＸ軸での座標名をＸｉとする行と該座標名の座標値をｉとする行が記載されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用のダミーとして連続した３個以上のＸｉより成るダミー区間のＹ軸の値、Ｙｉがゼロ以外の勾配を有する一直線となる値を有するＳダミーを設定、
該設定したＳダミー毎のダミー区間の時系列データ、Ｙｉと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、
該抽出した特許文献項目の中から、キーワードとして前記Ｓダミー区間別の特許文献項目毎の合計文献件数、前記Ｓダミー区間別の特許文献項目毎の文献件数の区間勾配、前記各Ｓダミー区間における特定の区分の特許文献項目別文献件数の中から所望するキーワードを順次選択して、所望する特許文献項目を抽出することを特徴とする特許文献集合の分析方法。【００１０】本請求項３に係わる特許文献集合の分析方法は
ｉを時系列推移に伴って連続して増加する自然数として、分析対象とする特許文献集合の特許分類や出願人やキーワードが記載されている特許文献項目列と分析対象期間を等分割した区分のＸ軸での座標名をＸｉとする行と該座標名の座標値をｉとする行が表示されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用ダミーとして連続した３個以上のＸｉより成るダミー区間のＹ軸の値、Ｙｉがゼロ以外の勾配を有する一直線となる値を有するＰ第１ダミーと該Ｐ第１ダミーの２個の端点のうちｉの値が大きい方の端点のＸｉのｉと等しいかより大きいｉを有するＸｉを始点とし、ｉが増加する方向の３個以上の連続したＸｉより成るダミー区間のＹ軸の値、Ｙｉがゼロ以外の勾配を有する一直線となる値を有し、前記Ｐ第１ダミーとの組合せで使用するＰ第２ダミーを設定、
該設定したＰ第１ダミー毎及びＰ第２ダミー毎のダミー区間の時系列データ、Ｙｉと前記分析対象とする特許文献集合の特許文献項目別文献件数の時系列データの相関係数を抽出のキーワードとして前記分析対象とする文献集合の中から所望する文献件数時系列推移パターンを有する特許文献項目を抽出、
該抽出した特許文献項目の中から、キーワードとして前記Ｐ第１ダミー区間別、前記Ｐ第２ダミー区間別の特許文献項目毎の合計文献件数、前記Ｐ第１ダミー区間別、前記Ｐ第２ダミー区間別の特許文献項目毎の文献件数の区間勾配、前記各Ｐ第１ダミー区間、前記各Ｐ第２ダミー区間における特定の区分の特許文献項目別文献件数の中から所望するキーワードを順次選択して、所望する特許文献項目を抽出することを特徴とする特許文献集合の分析方法。
【発明の効果】
【００１１】特定の特許文献集合の中から、所望する特定の文献件数時系列推移パターン、特定の文献件数推移の勾配、特定の文献件数を有する特許文献項目を、特許マップを描かずに抽出することができるようになるので、特許マップを描く工数を削減することができるようになると同時に萌芽期とか新規参入期等の文献件数が少ない特許分類や出願人等の特許文献項目の抽出も容易にできるようになる。
【図面の簡単な説明】
【図１】特許文献分析装置
【図２】特許文献集合の分析フローチャート
【図３】テーマコード３Ｃ７０７（マニプレータ）の特許分類別文献件数時系列表（２００９〜２０１５年の合計文献件数合計≧３件）
【図４】Ｓダミーの例
【図５】Ｐ第１ダミーとＰ第２ダミーの組合せ例
【図６】テーマコード３Ｃ７０７（マニプレータ）のＳダミー分析用特許文献集合時系列データ表（２００９〜２０１５年文献件数合計≧３件）
【図７】テーマコード３Ｃ７０７（マニプレータ）のＰダミー分析用特許文献集合時系列データ表（２００９〜２０１５年文献件数合計≧３件）
【図８】Ｓダミーで抽出できる文献件数時系列推移パターン
【図９】Ｐ重複・ダミーで抽出できる文献件数時系列推移パターン
【図１０】Ｐ隣接・ダミーで抽出できる文献件数時系列推移パターン
【図１１】Ｐ１空・ダミーで抽出できる文献件数時系列推移パターン
【図１２】テーマコード３Ｃ７０７のＳダミー区間別・特許分類別件数・勾配一覧表
【図１３】テーマコード３Ｃ７０７のＰダミー区間別・特許分類別件数・勾配一覧表
【図１４】テーマコード３Ｃ７０７のＳダミー区間別・特許分類別件数・勾配・相関係数一覧表
【図１５】テーマコード３Ｃ７０７のＰダミー区間別・特許分類別件数・勾配・相関係数一覧表
【図１６】特許文献集合３Ｃ７０７のＳダミー区間別・特許マップ用諸元表
【図１７】特許文献集合３Ｃ７０７のＰダミー区間別・特許マップ用諸元表
【図１８】２０１３年〜２０１５年の公開件数が単調増加、該期間の文献件数の合計が上位１５位以内、文献件数時系列推移の勾配が上位５位までの特許分類の特許マップ
【図１９】２０１３年〜２０１５年の公開件数が単調増加、該期間の文献件数の合計が下位１５位以内、文献件数時系列推移の勾配が上位７位までの特許分類の特許マップ
【図２０】２００９年〜２０１５年までの公開件数が単調増加、該期間の文献件数が上位１０位以内、文献件数時系列推移の勾配が上位５位の特許分類の特許マップ
【図２１】２００９年〜２０１３年までの公開件数が単調減少、２０１３年〜２０１５年の公開件数が単調増加で該期間の合計件数が上位２０位以内、文献件数時系列推移の勾配が上位５位までの特許分類の特許マップ
【図２２】２００９年〜２０１２年までの公開件数が単調減少、２０１３年〜２０１５年の公開件数が単調増加で該期間の合計件数が上位２０位以内、文献件数時系列推移の勾配が上位５位までの特許分類の特許マップ
【図２３】２００９年〜２０１１年までの公開件数が単調減少、２０１３年〜２０１５年の公開件数が単調増加で該期間の合計件数が上位２０位以内、文献件数時系列推移の勾配が上位５位までの特許分類の特許マップ
【図２４】２００９年〜２０１３年までの公開件数が単調増加、２０１３年〜２０１５年の公開件数が単調増加で該期間の文献件数合計が上位２０位以内、文献件数時系列推移が下に凸を示す特許分類の特許マップ
【図２５】２００９年〜２０１２年までの公開件数が単調増加、２０１３年〜２０１５年の公開件数が単調増加で該期間の文献件数合計が上位２０位以内、文献件数時系列推移が下に凸を示す特許分類の特許マップ
【図２６】２００９年〜２０１１年までの公開件数が単調増加、２０１３年〜２０１５年の公開件数が単調増加で該区間の文献件数合計が上位２０位以内、文献件数時系列推移が下に凸を示す特許分類の特許マップ
【発明を実施するための形態】
【００１２】以下、図１の特許分析装置、図２の特許文献集合の分析フローチャート等の図を参照して本発明の形態について説明する。
図１に特定の文献集合の分析に用いる特許文献分析装置の一実施例を示が、該特許文献分析装置１はコンピュータ２とその付帯設備で構成されており、該コンピュータ２は制御装置３、演算装置４、記憶装置５及びＩ／Ｏ６を有し、該Ｉ／Ｏ６の入力側には、入力装置としてキーボード７、マウス８、入力装置９、ＭＯドライブ等を含むＣＤ−ＲＯＭドライブ１０が接続されており、Ｉ／Ｏ６の出力側には、ＣＲＴ（液晶デイスプレイを含む）からなる表示装置１１、プリンタ１２等が接続されており、さらに通信回線１４を通して日立情報システムズやＮＲＩサイバーパテント等のＡＳＰの特許データベース１３に接続することもできる。
【００１３】特許文献分析装置１の記憶装置には特許文献分析ソフト、表計算ソフト等、本願記載の分析に必要な全てのソフトは予め記憶装置５にインストールされており、特許マップの作成は、入力装置９を操作して、記憶装置５に予めストアされている特許文献集合のフロントページを開き、項目選択ボタンでマップ選択すると、特定の特許文献集合の特許文献項目別件数を降順又は昇順に表示した、所謂、ランキング特許マップや前記項目別件数の時系列推移を表示した、所謂、時系列特許マップや行と列に特定の特許文献項目を配し、該行と列の交差するマス目には行、列それぞれの特許文献項目が付与されている項目の件数が記載されている、所謂、マトリクスマップ等の各種特許マップのメニューが表示されるので、使用目的に応じたマップの種類を選択、各種マップ作成に必要な項目を設定して所望の特許マップを作成することができ、又、該特許マップから数値テーブルへの切り替は入力装置９の操作により容易に行うことが出来る。
【００１４】前記、特許マップを切り替えて作成した数値データはコピーして、前記コンピュータにインストールされている表計算ソフトの任意のシートに貼りつけることが出来るので表計算ソフトが有している機能、例えばシートの行、列の挿入、削除、セル同士の四則演算、特定の項目同士の相関マトリクスの作成、グラフ作成機能、該作成したグラフの近似曲線描画機能等、全て使用できるようになっている。
【００１５】分析に必要な特許文献集合は、入力装置９を操作して、特許データベース１３にアクセス、検索目的の応じた特許文献検索式を用いて特許データベース検索を実施、該検索で収集した文献集合を前記特許文献分析装置にインストールされている特許文献分析ソフトで処理できるデータ形式に変換、該データ形式に変換した文献集合をスクリーニング、該スクリーニング済の文献集合を記憶装置５にストア、必要な時に記憶装置５にストアされている文献集合を開いて使用するというシステムになっている。
【００１６】前記特許データベース１３の替わりにＣＤ−ＲＯＭ等ドライブ１０に公開特許公報ＣＤをセットして使用することも可能である。
【００１７】次に、図１の特許文献分析装置、図２の特許文献集合の分析のフローチャート等の図を参照して本発明の特許文献集合の分析方法を説明するが、本発明の説明に係わるに特定の文献集合や分析用ソフトは予め前記記憶装置５にストアされているものとする。
【００１８】なお、本願に記載の特許文献とは、ＩＰＣとかＦＩ等の特許分類記号が付与されている文献を意味し、特許分類とはＩＰＣ、ＦＩ、テーマコード＋観点、Ｆターム等の特許分類記号を意味し、特許文献項目とは特許分類別文献件数時系列特許マップや出願人別文献件数時系列特許マップの文献件数の時系列データ項目として記載される特許分類や出願人やキーワードのことである。
【００１９】Ｓ１、分析対象とする特許文献集合の特許文献項目別文献件数時系列表（例として図３参照）を作成する。
【００２０】本ステップは分析対象とする特許文献集合の文献に付与されている特許分類や出願人やキーワードの特許文献項目別文献件数時系列表を作成するステップであり、該特許文献項目別文献件数時系列表は前記特許文献分析ソフトを用いて作成した特定の特許文献集合の特許文献項目別文献件数時系列マップの数値データを用いて作成する。
【００２１】特定の文献集合の特許文献項目別文献件数時系列マップの数値データの作成方法は、前記特許文献分析装置１にインストールされている前記特許文献ソフトを用いて既に記憶装置５にストアされている特定の特許文献集合の特許マップ作成オブジェクトを開き、該オブジェクトの中から作成対象として時系列特許マップを選択、該時系列特許マップのプロパテイ選択画面で，特許マップに表示するＩＰＣとかＦＩとか出願人とか等の具体的なデータを選択後、分析対象とする期間と該期間を分割する単位、例えば半期、１年、２年等を決定、その他特許マップ作成に必要な諸元を決定して特許マップ作成を実行、該作成した特許マップを数値データに切替えて作成する。
【００２２】前記特許文献項目別文献件数時系列表は特許文献項目列と時間軸列で構成されており、特許文献項目列には分析対象とする特許文献項目が記載され、時間軸列（Ｘ軸）は、ｉを時系列推移に伴って連続して増加する自然数として、分析対象期間を半期、１年、２年等の時間単位で分割した区分毎に座標名としてＸｉを付与した行と（注１）該座標名の座標値としてｉが記載されている行で構成されており、該表の特許文献項目と時間軸の座標名、Ｘｉが交わるマス目には両項目の条件を満たす文献件数、Ｙｉが記載されている。
【００２３】（注１）座標名、Ｘｉの座標値として時系列推移に従って、連続して増加する自然数を記載する理由は前記特許文献項目別文献件数時系列推移の近似直線の勾配を定量的に算出すためである。
【００２４】Ｓ２、前記特許文献項目別文献件数時系列表の特許文献項目列に文献件数の時系列推移が直線になるダミー（例として図４、図５参照）を追加してダミー分析用特許文献集合時系列データ表（例として図６、図７を参照）を作成する。
【００２５】本ステップは前記特許文献項目別文献件数時系列表の中から、文献件数時系列推移が、例えば単調増加型とかＶ字型とかの特定のパターンを有する特許文献項目を抽出する方法として、特許マップによる視覚判定方法でなく数値解析による方法で判定するために使用するダミーを追加するステップである。
【００２６】前記特許文献項目別文献件数時系列表に追加するダミーの種類にはＳダミー（例として図４参照）とＰダミー（例として図５参照）の２種類あり、Ｓダミーは図８に示す文献件数時系列推移の各パターンを有する特許文献項目を前記特許文献項目別文献件数時系列データ表（例として図６参照）の中から抽出するのに使用するダミーであり、Ｐダミーは図９、図１０、図１１に示す文献件数時系列推移の各パターンを有する特許文献項目を前記特許文献項目別文献件数時系列データ表（例として図７参照）の中から抽出するのに使用するダミーである。
【００２７】前記Ｓダミーの具備すべき条件は、ｉを連続して増加する自然数として、Ｘ軸上で３個以上の連続した区分で構成されている区間で、Ｙ軸の値、Ｙｉが前記座標名、Ｘｉの変化に伴ってゼロ以外の勾配を有する一直線になる値（該直線の勾配は理論的には正、負どちらでも良いが本願では記載を簡潔にするために正になる値を設定する）を有する事であり、該具備すべき条件を満足するダミーであれば分析に必要な任意の個数を同時に分析対象のＸ軸内のどこにでも設定することが出来る。
【００２８】Ｓダミーの種類別識別記号は、該Ｓダミーを構成しているデータ個数の後に連の文字を記載、例えば３個であれば、Ｓ・３連ダミー、４個であれば、Ｓ・４連ダミーのように記載する。
【００２９】前記Ｐダミーには２種類のダミー、分析対象区間をＸ軸上で２分割した場合、前記座標名、Ｘｉの座標値が小さい区間を分析対象とするＰ第１ダミーと他方の区間を分析対象とするＰ第２ダミーがあり、Ｐ第１ダミーとＰ第２ダミーが対になって、前記特許文献項目別文献件数時系列表の中から図９、図１０、図１１に示す文献件数時系列推移パターンを有する特許文献項目を抽出するのに使用する。
【００３０】前記Ｐ第１ダミーとＰ第２ダミーの具備すべき条件は、ｉを連続して増加する自然数として、Ｘ軸の３個以上の連続した区分で構成されている区間で、Ｙ軸の値、Ｙｉが前記座標名、Ｘｉの変化に伴ってゼロ以外の勾配を有する一直線になる値（該直線の勾配は理論的には正、負どちらでも良いが本願では記載を簡潔にするために、Ｐ第１ダミーは負になる値を、Ｐ第２ダミーは正になる値を設定する）を有し、かつＰ第２ダミーの始点の座標値（該ダミーの端点のうち、小さい方の座標値）はＰ第１ダミーの終点の座標値（該ダミーの端点のうち、大きい方の座標値）と同一か、より大きい事であり、該具備すべき条件を満足するダミーであれば分析に必要な任意の個数を同時に分析対象のＸ軸内のどこにでも設定することが出来る。
【００３１】前記Ｐ第１ダミーとＰ第２ダミーの組合せは第２ダミーの始点のＸｉの座標値と第１ダミーの終点のＸｉの座標値の差をパラメータとして任意の値に設定できるので、分析目的に適合する値を設定する（例として図５参照）。
【００３２】Ｐ第１ダミーとＰ第２ダミーの種類の識別記号は、該Ｐ第１ダミー、Ｐ第２ダミーを構成しているデータ個数の後に連の文字を記載、例えば３個であれば、Ｐ第１・３連ダミー、Ｐ第２・３連ダミー、４個であれば、Ｐ第１・４連ダミー、Ｐ第２・４連ダミーのように記載する。
【００３３】Ｐ第１ダミーとＰ第２ダミーの組合せを考慮した識別記号は、前記第２ダミーの始点の座標値と前記第１ダミーの終点の座標値の差をパラメータとして、ダミー単独での識別記号は、前記パラメータがゼロの場合はＰ第１・３連・重複用、前記パラメータが１の場合はＰ第１・３連・隣接用、前記パラメータが２の場合はＰ第１・３連・１空用のように、前記パラメータの大きさがわかるように、Ｐ第１ダミーとＰ第２ダミーが組み合わさった状態を示す識別記号は、前記パラメータがゼロの場合はＰ第１・３連・重複・Ｐ第２・３連のようにＰ第１ダミーとＰ第２ダミーの間に識別記号、重複を付与、前記パラメータが１の場合はＰ第１・３連・隣接・Ｐ第２・４連のように、Ｐ第１ダミーとＰ第２ダミーの間に識別記号、隣接を付与、前記パラメータが２の場合はＰ第１・３連・１空・Ｐ第２・３連・のようにＰ第１ダミーとＰ第２ダミーの間に識別記号、１空を付与する。
【００３４】前記Ｐ第２ダミーの始点と前記第１ダミーの終点のＸｉの値の差をパラメータとしてＰ第１、第２ダミーの組合せを設定する理由は、前記特許文献集合分析用データの各特許文献項目の第１ダミー区間から第２ダミー区間に遷移する様子が多少異なっていても同種の時系列動向パターンと見なせるので、それらを洩れなく抽出するためである。
【００３５】Ｓ３、前記特許文献集合分析用時系列データ表の特許文献項目別、全てのダミー区間毎のＸｉの変化に対するＹｉの変化の近似直線の勾配を算出、該算出した勾配を前記特許文献集合分析用時系列データ表にダミー区間勾配として付加してダミー区間別・特許文献項目別件数・勾配一覧表（例として図１２、図１３参照）を作成する。
【００３６】前記近似直線の区間勾配の算出方法例として数１を掲載する。
数１
勾配＝θ＝（ΣＸｉ＊Ｙｉ−ｎＸ’＊Ｙ’）／（ΣＸｉ＾２−ｎＸ＾２）
ここで
Ｘｉは座標名Ｘｉの座標値
Ｙｉは座標名Ｘｉの文献件数
Ｘ′は勾配算出対象区間の座標名Ｘｉの座標値の平均値
Ｙ′は勾配算出対象区間の座標名Ｘｉの文献件数Ｙｉの平均値
ｎは勾配算出対象区間のデータ個数
【００３７】Ｓ４、前記ダミー区間別・特許文献項目別件数・勾配一覧表に前記ダミー分析用特許文献集合時系列データ表の全てのダミーと各特許文献項目との時系列データ同士の相関係数を付加して特許文献項目別件数・勾配・相関係数一覧表（例として図１４、図１５参照）を作成する。
【００３８】前記全てのダミーと各特許文献項目との時系列データ同士の相関係数のデータは前記特許文献分析装置１にインストールされている表計算ソフトのオブジェクトとしてストアされている前記特許文献項目別文献件数時系列表を表示装置１１に描画した状態で、表計算ソフトの相関分析の諸元を入力する画面を開き、前記相関係数の算出に必要な事項を入力、相関分析を実行して作成した相関マトリクスから必要とする部分だけをコピーして作成する。
【００３９】前記特許文献項目別件数・勾配・相関係数一覧表に記載してある相関係数の大きさと正、負の符号でダミーとの相関関係を判定する判定基準値の算出方法例として数２を掲載する。
数２
α２＝４／（Ｎ＋２）
ここで  Ｎは相関係数算出区間のデータ個数
αは相関あり、無の判定基準値、
ダミーとの相関係数をＲとすると
Ｒ≧α  は正の相関ありと判定する
Ｒ≦−αは負の相関有と判定する
数２の出典：「オペレーション・リサーチ」  １９９７年７月号、上田太郎著
【００４０】Ｓ５、前記ダミー区間別・特許文献項目別件数・勾配・相関係数一覧表に特許文献項目別ダミー区間毎の合計文献件数を付加してＳダミー区間別・特許マップ用諸元表（例として図１６参照）を、Ｐダミーの場合は分析目的に応じて特定の区間同士の勾配の比も付加してＰダミー区間別・特許マップ用諸元表（例として図１７参照）を作成する。
【００４１】前記ダミー区間別・特許文献項目別件数・勾配・相関係数一覧表に付加する特定の区間の合計文献件数は研究開発が盛んな特許文献項目か、該文献件数は少ないが萌芽期や新規参入期の特許文献項目であるか等の判断をするための指標にするためであり、特定の区間同士の勾配の比を付加するのは、前記文献件数の時系列推移パターンの折線単調増加型等の場合、下に凸型か上に凸型かを判定するためである。
【００４２】Ｓ６、前記特定の特許文献集合のダミー区間別・特許マップ用諸元表を用いて所望する特許文献項目を抽出する。
【００４３】所望する特許文献項目の抽出に使用する前記特許文献項目別諸元表におけるキーワードは、特許文献項目の文献件数時系列推移パターンに関しては前記各種ダミーと特許文献項目の相関係数と各種ダミー区間同士の勾配の比、文献件数時系列推移の勾配に関してはダミー区間別勾配、特定の区分での件数は区分名、Ｘｉの文献件数、特定の区間の文献件数はダミー区間別特許文献項目毎の合計文献件数、であり、以上の抽出用キーワードを使用することにより前記特定の特許文献集合の特許文献項目別件数時系列マップを作成することなく所望する特許文献項目を抽出することが可能となる。
【００４４】前記所望する特許文献項目を抽出すための前記特許文献項目別諸元表における各種キーワードの使用方法は、前記各種ダミーと特許文献項目の相関係数をキーワードとして所望する文献件数時系列推移パターンを有する特許文献項目を抽出、該抽出した特許文献項目の中からキーワードとして、ダミー区間別特許文献項目毎の勾配、ダミー区間別特許文献項目毎の合計文献件数、ダミーの区間の特定の区分の特許文献項目毎の文献件数、特定のダミー区間の勾配の比の中から所望するキーワードを順次選択して、所望する特許文献項目を抽出する。
【００４５】以下、図１〜図１７を参照して上記分析手順をより具体的に説明する。
【００４６】実施例１として公開・公表日を００９年〜２０１５年、特許分類をテーマコード３Ｃ７０７（マニプレータ）＋観点とする特許文献集合（文献件数７６７６件）から文献件数が３件以上ある特許分類、７７８種類を抽出、該抽出した７７８件の特許分類の中から下記条件を満足する特許分類（テーマコード＋観点）を抽出する方法を記載する。
【００４７】Ｓダミーによる抽出
▲１▼２０１３年〜２０１５年の公開件数が単調増加、文献件数の合計が上位１５位以内で、文献件数時系列推移の勾配が上位５位までの特許分類の抽出（図１８参照）
▲２▼２０１３年〜２０１５年の公開件数が単調増加、文献件数の合計が下位１５位以内で、文献件数時系列推移の勾配が上位７位までの特許分類の抽出（図１９参照）
▲３▼２００９年〜２０１５年までの公開件数が単調増加、文献件数の合計が１０位以内で、文献件数時系列推移の勾配が上位５位までの特許分類の抽出（図２０参照）
【００４８】Ｐダミーによる抽出
▲１▼Ｐ第１・５連・重複・Ｐ第２・３連ダミーの例
２００９年〜２０１３年までの公開件数が単調減少、２０１３年〜２０１５年の公開件数が単調増加で該期間の合計件数が上位５位の特許分類の抽出（図２１参照）
▲２▼Ｐ第１・４連・隣接・Ｐ第２・３連ダミーの例
２００９年〜２０１２年までの公開件数が単調減少、２０１３年〜２０１５年の公開件数が単調増加で該期間の合計件数が上位５位の特許分類の抽出（図２２参照）
▲３▼Ｐ第１・３連・１空・Ｐ第２・３連ダミーの例
２００９年〜２０１１年までの公開件数が単調減少、２０１３年〜２０１５年の公開件数が単調増加で該期間の合計件数が上位５位の特許分類の抽出（図２３参照）
▲４▼Ｐ第１・５連・重複・Ｐ第２・３連ダミーの例
２００９年〜２０１３年までの公開件数が単調増加、２０１３年〜２０１５年の公開件数が単調増加で件数時系列推移が下に凸を示す特許分類の抽出（図２４参照）
▲５▼Ｐ第１・４連・隣接・Ｐ第２・３連ダミーの例
２００９年〜２０１２年までの公開件数が単調増加、２０１３年〜２０１５年の公開件数が単調増加で件数時系列推移が下に凸を示す特許分類の抽出（図２５参照）
▲６▼Ｐ第１・４連・隣接・Ｐ第２・３連ダミーの例
２００９年〜２０１１年までの公開件数が単調増加、２０１３年〜２０１５年の公開件数が単調増加で件数時系列推移が下に凸を示す特許分類の抽出（図２６参照）
【００４９】ｓ１、特許文献集合の特許文献項目別文献件数時系列表を作成するステップである。
【００５０】特許文献分析装置１にインストールされている前記特許文献分析ソフトを用いて記憶装置５に保存してある分析対象のテーマコード３Ｃ７０７（マニプレータ）の特許文献集合を開き、該特許文献集合の２００９年〜２０１５年の公開日で１年毎の特許分類（テーマコード３Ｃ７０７＋観点）別文献件数時系列マップを作成、該マップを数値テーブルに切替えて、該数値テーブルを前記表計算ソフトのシートに貼り付け、該シートの２００９年〜２０１５年の合計文献件数が３件以上の特許分類だけのテーブル（文献件数７７８件）を作成、該作成したテーブルの時間軸に区分名Ｘｉ（ｉ＝１〜７）と座標値（１〜７）を追記して図３のテーマコード３Ｃ７０７（マニプレータ）の特許分類別文献件数時系列表を作成した。
【００５１】ｓ２、前記特許文献項目別文献件数時系列表に特許文献件数時系列データが一直線になるダミーを追加してダミー分析用特許文献集合時系列データ表を作成するステップである。
【００５２】前記図３のテーマコード３Ｃ７０７（マニプレータ）の特許分類別文献件数時系列表に、Ｓダミーとして、文献件数単調増加の期間をパラメータとした▲１▼Ｓ・３連ダミー、▲２▼Ｓ・４連ダミー、▲３▼Ｓ・５連ダミー、▲４▼Ｓ・６連ダミー、▲５▼Ｓ・７連ダミーの５種類のダミー（図６参照）を追加した。
【００５３】前記図３のテーマコード３Ｃ７０７（マニプレータ）の特許分類別文献件数時系列表に、組合せの基準とするＰ第２ダミーとしてデータ個数が３個のＰ第２・３連ダミーを、該ダミーと対になって使用するＰ第１ダミーとして、Ｐ第２ダミーの始点とＰ第１ダミーの終点の座標値の差をパラメータとした、該座標値の差がゼロのＰ第１・５連・重複用ダミーと、該座標値の差が１のＰ第１・４連・隣接用ダミーと、該座標値の差が２のＰ第１・３連・１空用ダミーの３種類のダミーを追加した。
【００５４】前記図６に記載したＳダミーで抽出できる文献件数時系列推移パターンは図８に示すＳ▲１▼単調増加型、Ｓ▲２▼平行型、Ｓ▲３▼単調減少型であり、前記図７に記載したＰ第２・３連ダミーとＰ第１・５連・重複用ダミーが一対となって抽出できる文献件数時系列推移パターンは図９に示すＰ▲１▼重複・Ｖ字型〜Ｐ▲６▼重複・逆Ｖ字型、前記図７に記載したＰ第２・３連ダミーとＰ第１・４連・隣接用ダミーが一対となって抽出できる文献件数時系列推移パターンは図１０に示すＰ▲７▼隣接・Ｖ字型〜Ｐ▲１２▼隣接・逆Ｖ字型であり、前記図７に記載したＰ第２・３連ダミーとＰ第１・３連・１空用ダミーが一対となって抽出できる文献件数時系列推移パターンは図１１に示すＰ▲１３▼１空・Ｖ字型〜Ｐ▲１８▼１空・逆Ｖ字型である。
【００５５】ｓ３、前記ダミー分析用特許文献集合時系列データ表の特許文献項目毎、全てのダミーの区間毎にＸｉの変化に対するＹｉの変化の近似直線の勾配を算出、該算出した勾配を前記ダミー分析用特許文献集合時系列データ表に付加してダミー区間別・特許文献項目別件数・勾配一覧表を作成するステップである。
【００５６】前記数１を使用して算出した結果を記載して、テーマコード３Ｃ７０７のＳダミー区間別・特許分類別件数・勾配一覧表は図１２に、テーマコード３Ｃ７０７のＰダミー区間別・分析による特許分類別・Ｐダミー区間別勾配一覧表は図１３に掲載した。
【００５７】ｓ４、前記ダミー区間別・特許文献項目別件数・勾配一覧表に前記ダミー分析用特許文献集合時系列データ表の全てのダミーと各特許文献項目との時系列データ同士の相関係数を付加してダミー区間別・特許文献項目別件数・勾配・相関係数一覧表を作成するステップである。
【００５８】前記表計算ソフトのデータ分析ツールを用いて前記図６のテーマコード３Ｃ７０７のＳダミー分析用特許文献集合時系列データ表の相関マトリクスを作成、該マトリクスから必要部分のみを切り取り、前記図１２に貼り付けて作成した図が図１４のテーマコード３Ｃ７０７の特許分類別・Ｓダミー区間別勾配、相関係数一覧表であり、前記図７のテーマコード３Ｃ７０７のＰダミー分析用特許文献集合時系列データ表の相関マトリクスを作成、該マトリクスから必要部分のみを切り取り、前記図１３に貼り付けて作成した図が図１５のテーマコード３Ｃ７０７の特許分類別・Ｐダミー区間別勾配、相関係数一覧表である。
【００５９】ｓ５、前記ダミー区間別・特許文献項目別・勾配、相関係数一覧表に、ダミー区間別、特許文献項目毎の合計文献件数を付加、Ｐダミーに関してはダミー区間別勾配比も付加してダミー区間別・特許マップ用諸元表を作成するステップである。
【００６０】前記図１４のテーマコード３Ｃ７０７のＳダミー区間別・特許分類別件数・勾配、相関係数一覧表にダミー区間別の特許分類毎の合計文献件数を付加して図１６の特許文献集合３Ｃ７０７のＳダミー区間別特許マップ用諸元表を作成した。
【００６１】前記図１５のテーマコード３Ｃ７０７のＰダミー区間別・特許分類別件数・勾配・相関係数一覧表にＰ第２・３連ダミー区間の特許分類毎の合計文献件数とＰ第２・３連ダミー区間の勾配の他のダミー区間の勾配に対する比を付加して図１７の特許文献集合３Ｃ７０７のＰダミー区間別特許マップ用諸元表を作成した。
【００６２】ｓ６、前記ダミー区間別・特許マップ用諸元表に記載の各種項目を抽出用キーワードとして、前記ダミー区間別・特許マップ用諸元表の特許文献項目を絞込み、所望する特許文献項目を抽出する。
【００６３】所望する特許文献項目の抽出は前記特許マップの諸元表のダミーとの相関係数、ダミー区間別特許分類別文献件数、ダミー区間別勾配、ダミー区間別勾配比を抽出のキーワードとして、順次特許文献項目を絞り込むことにより実行する。
【００６４】図１６の特許文献集合３Ｃ７０７のＳダミー区間別特許マップ用諸元表を用いた分析実施例は下記のとおりである。
【００６５】Ｓダミー実施例１：２０１３年〜２０１５年の公開件数が単調増加、文献件数の合計が上位１５位以内で、文献件数時系列推移の勾配が上位５位までの特許分類の抽出
【００６６】▲１▼図１６の特許分類を各ダミーとの相関係数のＮＯ１との相関係数を整列のキーとして降順に整列、ＮＯ▲１▼との相関係数が０．９以上の特許分類集合を作成する
▲２▼▲１▼で作成した特許分類集合の特許分類をＳ・３連ダミー区間の文献件数を整列のキーとして降順に整列、上位１５位の特許分類集合を作成する
▲３▼▲２▼で作成した特許分類集合の特許分類をダミー区間別勾配欄のθ▲１▼を整列のキーとして降順に整列、該集合のθ▲１▼の値が上位５位の特許分類集合が目的とする特許分類（図１８参照）である。
【００６７】Ｓダミー実施例２：２０１３年〜２０１５年の公開件数が単調増加、文献件数の合計が下位１５位以内で、文献件数時系列推移の勾配が上位７位までの特許分類の抽出（図１９参照）
【００６８】▲１▼図１６の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類をＳ・３連ダミー区間の文献件数を整列のキーとして降順に整列、下位１５位の特許分類集合を作成する
▲３▼▲２▼で作成した特許分類集合の特許分類をダミー区間別勾配欄のθ▲１▼を整列のキーとして降順に整列、該集合のθ▲１▼の値が上位５位の特許分類集合が目的とする特許分類（図１９参照）である。
【００６９】Ｓダミー実施例３：２００９年〜２０１５年までの公開件数が単調増加、文献件数の合計が１０位で、文献件数時系列推移の勾配が上位５位までの特許分類の抽出
【００７０】▲１▼図１６の特許分類を各ダミーとの相関係数のＮＯ▲５▼との相関係数を整列のキーとして降順に整列、ＮＯ▲５▼との相関係数が０．７以上の特許分類集合を作成する
▲２▼▲１▼で作成した特許分類集合の特許分類をＳ・７連ダミー区間の文献件数を整列のキーとして降順に整列、上位１０の特許分類集合を作成する
▲３▼▲２▼で作成した特許分類集合の特許分類をダミー区間別勾配欄のθ▲５▼を整列のキーとして降順に整列、該集合のθ▲５▼の値が上位５位の特許分類集合が目的とする特許分類（図２０参照）である。
【００７１】図１７の特許文献集合３Ｃ７０７のＰダミー区間別特許マップ用諸元表を用いた分析実施例は下記のとおりである。
【００７２】Ｐダミー実施例１：Ｐ第１・５連・重複・Ｐ第２・３連ダミーのＶ字型の例
２００９年〜２０１３年までの公開件数が単調減少、２０１３年〜２０１５年の公開件数が単調増加で該期間の合計件数が上位２０位、該期間の文献件数勾配が上位５位の特許分類の抽出
【００７３】▲１▼図１７の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類を各ダミーとの相関係数のＮＯ▲２▼との相関係数を整列のキーとして降順に整列、ＮＯ▲２▼との相関係数が０．８以上の特許分類集合を作成する
▲３▼▲２▼で作成した特許分類集合の特許分類をＰ第２・３連ダミー区間の文献件数を整列のキーとして降順に整列、上位２０の特許分類集合を作成する
▲４▼▲３▼で作成した特許分類集合の特許分類をダミー区間別勾配欄のθ▲１▼を整列のキーとして降順に整列、該集合のθ▲１▼の値が上位５位の特許分類集合が目的とする特許分類（図２１参照）である。
【００７４】Ｐダミー実施例２：Ｐ第１・４連・隣接・Ｐ第２・３連ダミーのＶ字型の例
２００９年〜２０１２年までの公開件数が単調減少、２０１３年〜２０１５年の公開件数が単調増加で該期間の合計件数が上位２０位、該期間の文献件数勾配が上位５位の特許分類の抽出
【００７５】▲１▼図１７の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類を各ダミーとの相関係数のＮＯ▲３▼との相関係数を整列のキーとして降順に整列、ＮＯ▲３▼との相関係数が０．８以上の特許分類集合を作成する
▲３▼▲２▼で作成した特許分類集合の特許分類をＰ第２・３連ダミー区間の文献件数を整列のキーとして降順に整列、上位２０の特許分類集合を作成する
▲４▼▲３▼で作成した特許分類集合の特許分類をダミー区間別勾配欄のθ▲１▼を整列のキーとして降順に整列、該集合のθ▲１▼の値が上位５位の特許分類集合が目的とする特許分類（図２２参照）である。
【００７６】Ｐダミー実施例３：Ｐ第１・３連・１空・Ｐ第２・３連ダミーのＶ字型の例
２００９年〜２０１１年までの公開件数が単調減少、２０１３年〜２０１５年の公開件数が単調増加で該期間の合計件数が上位２０、該期間の文献件数勾配が上位５位の特許分類の抽出
【００７７】▲１▼図１７の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類を各ダミーとの相関係数のＮＯ▲４▼との相関係数を整列のキーとして降順に整列、ＮＯ▲４▼との相関係数が０．８以上の特許分類集合を作成する
▲３▼▲２▼で作成した特許分類集合の特許分類をＰ第２・３連ダミー区間の文献件数を整列のキーとして降順に整列、上位２０の特許分類集合を作成する
▲４▼▲３▼で作成した特許分類集合の特許分類をダミー区間別勾配欄のθ▲１▼を整列のキーとして降順に整列、該集合のθ▲１▼の値が上位５位の特許分類集合が目的とする特許分類（図２３参照）である。
【００７８】Ｐダミー実施例４：Ｐ第１・５連・重複・Ｐ第２・３連ダミーの折線単調増加型の例
２００９年〜２０１３年までの公開件数が単調増加、２０１３年〜２０１５年の公開件数が単調増加で件数時系列推移が下に凸を示す特許分類の抽出
【００７９】▲１▼図１７の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類を各ダミーとの相関係数のＮＯ▲２▼との相関係数を整列のキーとして昇順に整列、ＮＯ▲２▼との相関係数が−０．８以下の特許分類集合を作成する
▲３▼▲２▼で作成した特許分類集合の特許分類をＰ第２・３連ダミー区間の文献件数を整列のキーとして降順に整列、上位２０の特許分類集合を作成する
▲４▼▲３▼で作成した特許分類集合の特許分類をダミー区間別勾配比欄のθ▲１▼／θ▲２▼を整列のキーとして降順に整列、該集合のθ▲１▼／θ▲２▼の値が１以上の特許分類集合が目的とする特許分類（図２４参照）である。
【００８０】Ｐダミー実施例５：第１・４連・隣接・Ｐ第２・３連ダミーの折線単調増加型の例
２００９年〜２０１２年までの公開件数が単調増加、２０１３年〜２０１５年の公開件数が単調増加で件数時系列推移が下に凸を示す特許分類の抽出（図２５参照）
【００８１】▲１▼図１７の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類を各ダミーとの相関係数のＮＯ▲３▼との相関係数を整列のキーとして昇順に整列、ＮＯ▲３▼との相関係数が−０．８以下の特許分類集合を作成する
▲３▼▲２▼で作成した特許分類集合の特許分類をＰ第２・３連ダミー区間の文献件数を整列のキーとして降順に整列、上位２０の特許分類集合を作成する
▲４▼▲３▼で作成した特許分類集合の特許分類をダミー区間別勾配比欄のθ▲１▼／θ▲３▼を整列のキーとして降順に整列、該集合のθ▲１▼／θ▲３▼の値が１以上の特許分類集合が目的とする特許分類（図２５参照）である。
【００８２】Ｐダミー実施例６：Ｐ第１・４連・隣接・Ｐ第２・３連ダミーの折線単調増加型の例
２００９年〜２０１１年までの公開件数が単調増加、２０１３年〜２０１５年の公開件数が単調増加で件数時系列推移が下に凸を示す特許分類の抽出
【００８３】▲１▼図１７の特許分類を各ダミーとの相関係数のＮＯ▲１▼との相関係数を整列のキーとして降順に整列、ＮＯ▲１▼との相関係数が０．９以上の特許分類集合を作成する
▲２▼▲１▼で作成した特許分類集合の特許分類を各ダミーとの相関係数のＮＯ▲４▼との相関係数を整列のキーとして昇順に整列、ＮＯ▲４▼との相関係数が−０．８以下の特許分類集合を作成する
▲３▼▲２▼で作成した特許分類集合の特許分類をＰ第２・３連ダミー区間の文献件数を整列のキーとして降順に整列、上位２０の特許分類集合を作成する
▲４▼▲３▼で作成した特許分類集合の特許分類をダミー区間別勾配比欄のθ▲１▼／θ▲４▼を整列のキーとして降順に整列、該集合のθ▲１▼／θ▲４▼の値が１以上の特許分類集合が目的とする特許分類（図２６参照）である。
【産業上の利用可能性】
【００８４】本発明は特定の特許文献集合の中から特許マップを作成すること無く、特許文献件数時系列傾向が単調増加型とかＶ字型とか等の特定のパターンを有する特許文献集合の中から、特定の期間の文献件数、特定の期間の件数推移勾配をキーワードとして、所望する文献件数、勾配を有する特許文献を抽出することが出来るので、分析対象特許文献項目が沢山ある時はマップを描く工数を大幅に削減することができると同時に萌芽期や新規参入の出願人や文献項目の文献件数が少ない特許文献項目も容易に抽出できるようになる。
【図１】
2018133068.tif 000003
【図２】
2018133068.tif 000004
【図３】
2018133068.tif 000005
【図４】
2018133068.tif 000006
【図５】
2018133068.tif 000007
【図６】
2018133068.tif 000008
【図７】
2018133068.tif 000009
【図８】
2018133068.tif 000010
【図９】
2018133068.tif 000011
【図１０】
2018133068.tif 000012
【図１１】
2018133068.tif 000013
【図１２】
2018133068.tif 000014
【図１３】
2018133068.tif 000015
【図１４】
2018133068.tif 000016
【図１５】
2018133068.tif 000017
【図１６】
2018133068.tif 000018
【図１７】
2018133068.tif 000019
【図１８】
2018133068.tif 000020
【図１９】
2018133068.tif 000021
【図２０】
2018133068.tif 000022
【図２１】
2018133068.tif 000023
【図２２】
2018133068.tif 000024
【図２３】
2018133068.tif 000025
【図２４】
2018133068.tif 000026
【図２５】
2018133068.tif 000027
【図２６】
2018133068.tif 000028
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
特許文献分析ソフトおよび表計算ソフトがインストールされているコンピュータで実行する特定の特許文献集合の分析方法において
分析対象期間を等期間で分割、該分割した区分の期間に属する、分析対象とする特許文献集合の特許項目別文献件数を表示した一覧表に、文献件数時系列推移パターン判定用ダミーとして連続した３個以上の区間よりなるダミー区間で、時系列データがゼロ以外の勾配を有する一直線となる値を有するダミーを設定、
該ダミー毎のダミー区間の時系列データと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、該抽出した特許文献項目の中から、キーワードとして前記ダミー区間別の特許文献項目毎の合計文献件数、前記ダミー区間別の特許文献項目毎の文献件数の区間勾配、前記各ダミー区間における特定の区分の特許文献項目別文献件数の中から所望するキーワードを順次選択して、所望する特許文献項目を抽出することを特徴とする特許文献集合の分析方法。
【請求項２】
特許文献分析ソフトおよび表計算ソフトがインストールされているコンピュータで実行する特定の特許文献集合の分析方法において
ｉを時系列推移に伴って連続して増加する自然数として、分析対象とする特許文献集合の特許分類や出願人やキーワードが表示されている特許文献項目列と分析対象期間を等分割した区分のＸ軸での座標名をＸｉとする行と該座標名の座標値をｉとする行が記載されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用のダミーとして連続した３個以上のＸｉより成るダミー区間のＹ軸の値、Ｙｉがゼロ以外の勾配を有する一直線となる値を有するＳダミーを設定、
該設定したＳダミー毎のダミー区間の時系列データ、Ｙｉと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、
該抽出した特許文献項目の中から、キーワードとして前記Ｓダミー区間別の特許文献項目毎の合計文献件数、前記Ｓダミー区間別の特許文献項目毎の文献件数の区間勾配、前記各Ｓダミー区間における特定の区分の特許文献項目別文献件数の中から所望するキーワードを順次選択して、所望する特許文献項目を抽出することを特徴とする特許文献集合の分析方法。
【請求項３】
特許文献分析ソフトおよび表計算ソフトがインストールされているコンピュータで実行する特定の特許文献集合の分析方法において
ｉを時系列推移に伴って連続して増加する自然数として、分析対象とする特許文献集合の特許分類や出願人やキーワードが記載されている特許文献項目列と分析対象期間を等分割した区分のＸ軸での座標名をＸｉとする行と該座標名の座標値をｉとする行が表示されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用ダミーとして連続した３個以上のＸｉより成るダミー区間のＹ軸の値、Ｙｉがゼロ以外の勾配を有する一直線となる値を有するＰ第１ダミーと該Ｐ第１ダミーの２個の端点のうちｉの値が大きい方の端点のＸｉのｉと等しいかより大きいｉを有するＸｉを始点とし、ｉが増加する方向の３個以上の連続したＸｉより成るダミー区間のＹ軸の値、Ｙｉがゼロ以外の勾配を有する一直線となる値を有し、前記Ｐ第１ダミーとの組合せで使用するＰ第２ダミーを設定、
該設定したＰ第１ダミー毎及びＰ第２ダミー毎のダミー区間の時系列データ、Ｙｉと前記分析対象とする特許文献集合の特許文献項目別文献件数の時系列データの相関係数を抽出のキーワードとして前記分析対象とする文献集合の中から所望する文献件数時系列推移パターンを有する特許文献項目を抽出、
該抽出した特許文献項目の中から、キーワードとして前記Ｐ第１ダミー区間別、前記Ｐ第２ダミー区間別の特許文献項目毎の合計文献件数、前記Ｐ第１ダミー区間別、前記Ｐ第２ダミー区間別の特許文献項目毎の文献件数の区間勾配、前記各Ｐ第１ダミー区間、前記各Ｐ第２ダミー区間における特定の区分の特許文献項目別文献件数の中から所望するキーワードを順次選択して、所望する特許文献項目を抽出することを特徴とする特許文献集合の分析方法。
【手続補正２】
【補正対象書類名】明細書
【補正対象項目名】０００９
【補正方法】変更
【補正の内容】
【０００９】本請求項２に係わる特許文献集合の分析方法は
特許文献分析ソフトおよび表計算ソフトがインストールされているコンピュータで実行する特定の特許文献集合の分析方法において
ｉを時系列推移に伴って連続して増加する自然数として、分析対象とする特許文献集合の特許分類や出願人やキーワードが表示されている特許文献項目列と分析対象期間を等分割した区分のＸ軸での座標名をＸｉとする行と該座標名の座標値をｉとする行が記載されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用のダミーとして連続した３個以上のＸｉより成るダミー区間のＹ軸の値、Ｙｉがゼロ以外の勾配を有する一直線となる値を有するＳダミーを設定、
該設定したＳダミー毎のダミー区間の時系列データ、Ｙｉと前記分析対象とする特許文献集合の特許文献項目別文献件数の時系列データの相関係数を抽出のキーワードとして前記分析対象とする特許文献集合の中から所望する文献件数時系列推移パターンを有する特許文献項目を抽出、
該抽出した特許文献項目の中から、キーワードとして前記Ｓダミー区間別の特許文献項目毎の合計文献件数、前記Ｓダミー区間別の特許文献項目毎の文献件数の区間勾配、前記各Ｓダミー区間における特定の区分の特許文献項目別文献件数の中から所望するキーワードを順次選択して、所望する特許文献項目を抽出することを特徴とする特許文献集合の分析方法。
【手続補正３】
【補正対象書類名】明細書
【補正対象項目名】００１０
【補正方法】変更
【補正の内容】
【００１０】本請求項３に係わる特許文献集合の分析方法は
特許文献分析ソフトおよび表計算ソフトがインストールされているコンピュータで実行する特定の特許文献集合の分析方法において
ｉを時系列推移に伴って連続して増加する自然数として、分析対象とする特許文献集合の特許分類や出願人やキーワードが記載されている特許文献項目列と分析対象期間を等分割した区分のＸ軸での座標名をＸｉとする行と該座標名の座標値をｉとする行が表示されている時間軸列で構成されている表の特許文献項目列の各特許文献項目と座標名、Ｘｉが交わるマス目には両項目の条件を満たす特許文献項目別文献件数、Ｙｉが記載されている特許文献項目別文献件数時系列表に文献件数時系列推移パターン判定用ダミーとして連続した３個以上のＸｉより成るダミー区間のＹ軸の値、Ｙｉがゼロ以外の勾配を有する一直線となる値を有するＰ第１ダミーと該Ｐ第１ダミーの２個の端点のうちｉの値が大きい方の端点のＸｉのｉと等しいかより大きいｉを有するＸｉを始点とし、ｉが増加する方向の３個以上の連続したＸｉより成るダミー区間のＹ軸の値、Ｙｉがゼロ以外の勾配を有する一直線となる値を有し、前記Ｐ第１ダミーとの組合せで使用するＰ第２ダミーを設定、
該設定したＰ第１ダミー毎及びＰ第２ダミー毎のダミー区間の時系列データ、Ｙｉと前記分析対象とする特許文献集合の特許文献項目別文献件数の時系列データの相関係数を抽出のキーワードとして前記分析対象とする文献集合の中から所望する文献件数時系列推移パターンを有する特許文献項目を抽出、
該抽出した特許文献項目の中から、キーワードとして前記Ｐ第１ダミー区間別、前記Ｐ第２ダミー区間別の特許文献項目毎の合計文献件数、前記Ｐ第１ダミー区間別、前記Ｐ第２ダミー区間別の特許文献項目毎の文献件数の区間勾配、前記各Ｐ第１ダミー区間、前記各Ｐ第２ダミー区間における特定の区分の特許文献項目別文献件数の中から所望するキーワードを順次選択して、所望する特許文献項目を抽出することを特徴とする特許文献集合の分析方法。